(57)【要約】【課題】電装部品を収容する電装品箱（10）において、電装部品のメンテナンス等の作業をする際の作業性を向上させる。【解決手段】電装品箱（10）が、電装部品を取り付けるための部品取付面（15c）が形成されて壁面に固定される部品取付板（15）と、部品取付板（15）に着脱自在に取り付けられて取付状態では部品取付面（15c）を覆って電装部品の収納空間を形成すると共に、その収納空間内の電装部品に接続される配線を通すための配線口（30）が形成された蓋部材（16）とを備えるようにする。これにより、蓋部材（16）を部品取付板（15）から取り外すと、作業者の作業を阻害する部材が部品取付面（15c）から作業者側に突出していない状態で部品取付板（15）の部品取付面（15c）が露出する。【選択図】図２
2007149918.tif 000002
【特許請求の範囲】
【請求項１】
電装部品を収容して壁面に固定される電装品箱であって、
上記電装部品を取り付けるための部品取付面（15c）が形成されて壁面に固定される部品取付板（15）と、
上記部品取付板（15）に着脱自在に取り付けられて取付状態では上記部品取付面（15c）を覆って上記電装部品の収納空間を形成すると共に、該収納空間内の電装部品に接続される配線を通すための配線口（30）が形成された蓋部材（16）とを備えていることを特徴とする電装品箱。
【請求項２】
請求項１において、
上記蓋部材（16）は、上記部品取付面（15c）に対面する対面部（17a）と左右の側面をそれぞれ構成する一対の側面部（17b）とが一体に形成された対面カバー部材（17）と、上面を構成する上面カバー部材（18）と、下面を構成する下面カバー部材（19）とを備え、
上記上面カバー部材（18）と下面カバー部材（19）の何れか一方に上記配線口（30）が形成されていることを特徴とする電装品箱。
【請求項３】
請求項１において、
上記蓋部材（16）は、上記部品取付面（15c）に対面する対面部（17a）と左右の側面をそれぞれ構成する一対の側面部（17b）と上面及び下面の一方を構成する端面部とが一体に形成された対面カバー部材（17）と、上面及び下面の他方を構成する端面カバー部材（19）とを備え、
上記端面カバー部材（19）に上記配線口（30）が形成されていることを特徴とする電装品箱。
【請求項４】
請求項１において、
上記蓋部材（16）は、上記部品取付面（15c）に対面する対面部（17a）と左右の側面をそれぞれ構成する一対の側面部（17b）と上面を構成する上面部（17c）と下面を構成する下面部（17d）とが一体に形成された対面カバー部材（17）を備え、
上記配線口（30）は、上記対面カバー部材（17）の上面部（17c）又は下面部（17d）を部品取付板（15）側の端部から切り欠いた形状に形成されていることを特徴とする電装品箱。
【発明の詳細な説明】
【技術分野】
【０００１】
本発明は、電装部品を収容するための電装品箱に関するものである。
【背景技術】
【０００２】
制御基板等の電装部品を収容するための電装品箱が知られている。電装品箱は、例えば倉庫用の空調装置の電装部品を収容するために用いられた場合、空調空間の外側の壁面などに固定される。
【０００３】
従来は、この種の電装品箱は、壁面に固定される箱本体と、その箱本体の開口を着脱自在に覆蓋する蓋部材と、電装部品が取り付けられる部品取付部とから構成され、部品取付部は箱本体に溶接等によって固定されていた。ところが、このように電装品箱を構成すると、部品取付部が箱本体とは別部材になるので部品点数が多くなるという問題があった。
【０００４】
そこで、この問題を解決して部品点数を低減させたものが特許文献１に開示されている。特許文献１の電装品箱は、壁面側になる底面部とその底面部の上下両端から立ち上がる一対の立ち上がり壁とが一体に形成された箱本体と、底面部に対面する対面部と左右の側面を構成する一対の側面部とが一体に形成された蓋部材とから構成されている。蓋部材には、電装部品に接続される配線を通すための配線口が対面部に形成されている。この電装品箱では、底面部が部分的に底上げされて機器取付部が形成されており、機器取付部が箱本体の一部になっている。
【特許文献１】特開２００１−３１３４７６号公報
【発明の開示】
【発明が解決しようとする課題】
【０００５】
ところで、従来の電装品箱では、蓋部材を取り外して電装部品のメンテナンス等の作業する際に、立ち上がり部が作業者側に突出しているので、作業箇所によっては立ち上がり部が作業の邪魔になるという問題がある。
【０００６】
本発明は、かかる点に鑑みてなされたものであり、その目的とするこころは、電装部品を収容する電装品箱において、電装部品のメンテナンス等の作業をする際の作業性を向上させることにある。
【課題を解決するための手段】
【０００７】
第１の発明は、電装部品を収容して壁面に固定される電装品箱（10）を対象とする。そして、この電装品箱（10）は、上記電装部品を取り付けるための部品取付面（15c）が形成されて壁面に固定される部品取付板（15）と、上記部品取付板（15）に着脱自在に取り付けられて取付状態では上記部品取付面（15c）を覆って上記電装部品の収納空間を形成すると共に、該収納空間内の電装部品に接続される配線を通すための配線口（30）が形成された蓋部材（16）とを備えている。
【０００８】
第１の発明では、電装部品のメンテナンス等の作業をする際に蓋部材（16）を部品取付板（15）から取り外すと、壁面に固定された部品取付板（15）が露出する。すなわち、従来は蓋部材（16）を取り外した状態で露出する部材は、周縁が前方に立ち上がって底面部分に部品取付面（15c）が形成されたトレイ状の部材（特許文献１において箱本体に相当する部材）であったが、この第１の発明ではトレイ状の部材を構成部材とせずに平坦な形状の部品取付板（15）を壁面に固定することで、蓋部材（16）を取り外した状態で部品取付板（15）が露出するようにしている。従って、蓋部材（16）を部品取付板（15）から取り外すと、従来の立ち上がり部のような作業者の作業を阻害する部材が部品取付面（15c）から作業者側に突出していない状態で部品取付板（15）の部品取付面（15c）が作業者側に露出する。
【０００９】
第２の発明は、第１の発明において、上記蓋部材（16）が、上記部品取付面（15c）に対面する対面部（17a）と左右の側面をそれぞれ構成する一対の側面部（17b）とが一体に形成された対面カバー部材（17）と、上面を構成する上面カバー部材（18）と、下面を構成する下面カバー部材（19）とを備え、上記上面カバー部材（18）と下面カバー部材（19）の何れか一方に上記配線口（30）が形成されている。
【００１０】
第２の発明では、蓋部材（16）が対面カバー部材（17）と上面カバー部材（18）と下面カバー部材（19）とに分割され、上面カバー部材（18）と下面カバー部材（19）の何れか一方に形成された配線口（30）に配線が通っている。ここで、蓋部材（16）が複数の部材に分割されていない場合には、蓋部材（16）を取り外すのに、その蓋部材（16）の配線口（30）を通っている配線が邪魔になる。これに対して、この第２の発明では、上面カバー部材（18）又は下面カバー部材（19）とは別体の対面カバー部材（17）を先に取り外し、その状態で電装部品から配線を取り外して配線口（30）から引き抜いてから、上面カバー部材（18）又は下面カバー部材（19）を取り外すことができ、配線に邪魔されずに蓋部材（16）を取り外せる。
【００１１】
第３の発明は、第１の発明において、上記蓋部材（16）が、上記部品取付面（15c）に対面する対面部（17a）と左右の側面をそれぞれ構成する一対の側面部（17b）と上面及び下面の一方を構成する端面部とが一体に形成された対面カバー部材（17）と、上面及び下面の他方を構成する端面カバー部材（19）とを備え、上記端面カバー部材（19）に上記配線口（30）が形成されている。
【００１２】
第３の発明では、蓋部材（16）が配線が通っていない対面カバー部材（17）と、配線が通っている端面カバー部材（19）とを備えている。従って、上記第２の発明と同様に、対面カバー部材（17）を先に取り外し、その状態で電装部品から配線を取り外して配線口（30）から引き抜いてから、端面カバー部材（19）を取り外すことができ、配線に邪魔されずに蓋部材（16）を取り外せる。また、この第３の発明の対面カバー部材（17）は、対面部（17a）と側面部（17b）とに加えて端面部も一体に形成されている。つまり、上記第２の発明とは異なり、上面又は下面を構成する部材の一方も対面カバー部材（17）と一体になっている。
【００１３】
第４の発明は、第１の発明において、上記蓋部材（16）が、上記部品取付面（15c）に対面する対面部（17a）と左右の側面をそれぞれ構成する一対の側面部（17b）と上面を構成する上面部（17c）と下面を構成する下面部（17d）とが一体に形成された対面カバー部材（17）を備え、上記配線口（30）が、上記対面カバー部材（17）の上面部（17c）又は下面部（17d）を部品取付板（15）側の端部から切り欠いた形状に形成されている。
【００１４】
第４の発明では、蓋部材（16）が、収納空間の部品取付板（15）側を除く各面を区画する部材が全て一体に形成された対面カバー部材（17）を備えており、配線口（30）が対面カバー部材（17）の上面部（17c）又は下面部（17d）を部品取付板（15）側から切り欠いた形状になっている。従って、対面カバー部材（17）を取り外す際に、予め配線口（30）から配線を抜いておかなくても配線が対面カバー部材（17）からそのまま外れるので邪魔にならない。
【発明の効果】
【００１５】
本発明では、従来のように周縁が前方に立ち上がったトレイ状の部材を壁面に固定するのではなく、平坦な形状の部品取付板（15）を壁面に固定してその前面側を蓋部材（16）で覆うようにすることで、蓋部材（16）を取り外した状態において作業者の作業を阻害する部材が部品取付面（15c）から作業者側に突出していない状態で部品取付面（15c）が露出するようにしている。すなわち、作業を阻害する部材が部品取付面（15c）から作業者側に突出していないので、部品取付面（15c）の何れの場所に取り付けられた電装部品に対しても容易に作業を行うことができる。従って、電装部品のメンテナンス等の作業をする際の作業性を向上させることができる。
【００１６】
また、上記第２の発明では、蓋部材（16）を対面カバー部材（17）、上面カバー部材（18）、及び下面カバー部材（19）で構成し、配線が通っている上面カバー部材（18）又は下面カバー部材（19）とを対面カバー部材（17）とは別体にしている。このため、配線が通っている上面カバー部材（18）又は下面カバー部材（19）を取り外す前に、対面カバー部材（17）を取り外して電装部品から配線を取り外して配線口（30）から引き抜くことが可能になり、配線が通っている部材が取り外しやすくなる。また、メンテナンス等の作業をする電装部品の位置によっては、上面カバー部材（18）や下面カバー部材（19）が作業者の作業を阻害しない場合もあり、この場合は配線が通っていない対面カバー部材（17）を取り外すだけで作業が可能になる。従って、蓋部材（16）を取り外す際の作業性を向上させることができる。
【００１７】
また、上記第３の発明では、上記第２の発明と同様に、配線が通っている端面カバー部材（19）を取り外す前に、対面カバー部材（17）を取り外して電装部品から配線を取り外して配線口（30）から引き抜くことを可能にして、端面カバー部材（19）が取り外しやすくなるようにしている。また、上記第２の発明とは異なり、上面又は下面を構成する部材の一方も対面カバー部材（17）と一体に形成されている。従って、上記第２の発明よりも部品点数が少ない構成で、蓋部材（16）を取り外す際の作業性を向上させることができる。
【００１８】
また、上記第４の発明では、配線口（30）を対面カバー部材（17）の上面部（17c）又は下面部（17d）を部品取付板（15）側から切り欠いた形状にすることで、対面カバー部材（17）を取り外す際に配線が対面カバー部材（17）からそのまま外れて邪魔にならないようにしている。また、この第４の発明では、上記第３の発明に加えて、上面又は下面を構成する部材の他方も対面カバー部材（17）と一体になっている。従って、上記第３の発明よりも部品点数が少ない構成で、蓋部材（16）を取り外す際の作業性を向上させることができる。
【発明を実施するための最良の形態】
【００１９】
以下、本発明の実施形態を図面に基づいて詳細に説明する。
【００２０】
実施形態に係る電装品箱（10）は、冷蔵倉庫を冷却するための冷凍装置の制御ボックスとして用いられるものであり、図１に示すように、冷蔵倉庫の外側空間（7）の壁面に設置されている。この電装品箱（10）には、上記冷凍装置を制御するための制御基板等が収容され、その制御基板等に庫内ユニット（5）と庫外ユニット（6）からの配線が接続されている。なお、図１において、庫内ユニット（5）と庫外ユニット（6）とを接続する冷媒配管等は省略する。
【００２１】
電装品箱（10）の分解斜視図を図２に示す。電装品箱（10）は、部品取付板（15）と蓋部材（16）とを備えている。部品取付板（15）は、電装部品を取り付けるための部品取付面（15c）が形成されて壁面に固定される。蓋部材（16）は、部品取付板（15）に着脱自在に取り付けられて取付状態では部品取付面（15c）を覆って電装部品の収納空間を形成する。この電装品箱（10）は、蓋部材（16）が部品取付板（15）に取り付けられた状態で直方体状になるように形成されている。
【００２２】
部品取付板（15）は、平板部（15a）と立ち上がり部（15b）とを備えている。平板部（15a）は、長方形状に形成され、前面が機器取付面（15c）になっている。立ち上がり部（15b）は、平板部（15a）の周縁から平板部（15a）の背面側へ延びている。この立ち上がり部（15b）を有することで、電装部品を部品取付面（15c）の裏面から取付ネジによって取り付けることが可能になる。そして、上側と下側の立ち上がり部（15b）は、図３に示すように、先端側が部品取付板（15）の内側へ向かって直角に折り曲げられ、その内側端に半円状の切り欠き部（21a）がそれぞれ２箇所ずつ形成されている。部品取付板（15）は、この切り欠き部（21a）に取付ネジが嵌め込まれて壁面に固定される。また、部品取付板（15a）において切り欠き部（21a）に対面する４隅の位置には、取付ネジを着脱する際にドライバーを挿入するための取付用穴（21b）が形成されている。さらに、上側と下側の立ち上がり部（15b）には、後述する上面カバー部材（18）と下面カバー部材（19）とを取り付けるための取付ネジ穴（23a）がそれぞれ２箇所ずつ形成されている。
【００２３】
蓋部材（16）は、対面カバー部材（17）と上面カバー部材（18）と下面カバー部材（19）とから構成されている。対面カバー部材（17）は、部品取付板（15）に対面する対面部（17a）と、電装品箱（10）の左右の側面をそれぞれ構成する一対の側面部（17b）と、上面カバー部材（18）又は下面カバー部材（19）と重なり合う重なり片（17c）とが一体に形成されている。対面部（17a）の上端部と下端部には、対面カバー部材（17）を上面カバー部材（18）又は下面カバー部材（19）に取り付けるための取付ネジ穴（24a）が２箇所ずつ形成されている。上面カバー部材（18）は、電装品箱（10）の上面を構成する。下面カバー部材（19）は、電装品箱（10）の下面を構成する。
【００２４】
上面カバー部材（18）は、上面板状部材（18a）と重なり片（18b）とが一体に形成されている。上面板状部材（18a）は、長方形状に形成され、電装品箱（10）の上面を構成している。上面板状部材（18a）には、上面カバー部材（18）を部品取付板（15）に取り付けるための取付ネジ穴（23b）が、部品取付板（15）の取付ネジ穴（23a）に対応した２箇所の位置に形成されている。重なり片（18b）は、上記対面カバー部材（17）の対面部（17a）又は両側面部（17b）と重なり合うように上面板状部材（18a）の下面から立設されている。対面部（17a）側の重なり片（18b）には、対面カバー部材（17）を上面カバー部材（18）に取り付けるための取付ネジ穴（24b）が、対面カバー部材（17）の対面部（17a）の上端部の取付ネジ穴（24a）に対応した２箇所の位置に形成されている。さらに、対面部（17a）側の重なり片（18b）には、上面カバー部材（18）を部品取付板（15）に取り付けた状態で切り欠き部（21a）に嵌め込む取付ネジを着脱する際にドライバーがその重なり片（18b）に当たらないように、半円状の切り欠き部（21c）が形成されている。
【００２５】
下面カバー部材（19）は、下面板状部材（19a）と重なり片（19b）とが一体に形成されている。下面板状部材（19a）は、長方形状に形成され、電装品箱（10）の下面を構成している。下面板状部材（19a）には、収納空間内の電装部品に接続される配線を通すための配線口（30）が３箇所形成されている。さらに、下面板状部材（19a）には、下面カバー部材（19）を部品取付板（15）に取り付けるための取付ネジ穴（23b）が、部品取付板（15）の取付ネジ穴（23a）に対応した２箇所の位置に形成されている。重なり片（19b）は、上記対面カバー部材（17）の対面部（17a）又は両側面部（17b）と重なり合うように下面板状部材（18a）の上面から立設されている。対面部（17a）側の重なり片（19b）には、対面カバー部材（17）を下面カバー部材（19）に取り付けるための取付ネジ穴（24b）が、対面カバー部材（17）の対面部（17a）の下端部の取付ネジ穴（24a）に対応した２箇所の位置に形成されている。さらに、対面部（17a）側の重なり片（18b）には、下面カバー部材（19）を部品取付板（15）に取り付けた状態で切り欠き部（21a）に嵌め込む取付ネジを着脱する際にドライバーがその重なり片（19b）に当たらないように、半円状の切り欠き部（21c）が形成されている。
【００２６】
この電装品箱では、図４に示すように、壁面に固定された部品取付板（15）に上面カバー部材（18）と下面カバー部材（19）とが取り付けられ、その外側から対面カバー部材（17）が取り付けられる。これらの各部材は、各取付ネジ穴（23,24）に通された取付ネジによって互いに連結される。
【００２７】
上記構成において、作業者が電装部品のメンテナンス等の作業をする場合は、まず蓋部材（16）のうち対面カバー部材（17）が取り外される。この状態では、部品取付面（15c）から上面カバー部材（18）と下面カバー部材（19）とが作業者側に突出している。上面カバー部材（18）や下面カバー部材（19）が作業者の作業を阻害しない場合は、この状態で作業が行われる。作業者の作業を阻害する場合は、さらに上面カバー部材（18）や下面カバー部材（19）が取り外される。なお、下面カバー部材（19）を取り外す際は、配線口（30）を通っている配線が邪魔にならないように、電装部品から配線を取り外して配線口（30）から一時的に引き抜いておく。
【００２８】
また、この電装品箱（10）は、下面カバー部材（19）に配線口（30）が形成されている以外は上面カバー部材（18）と下面カバー部材（19）とが同一形状に形成されている。従って、配線を上面側から収納空間に導入するように変更する場合に、上面カバー部材（18）と下面カバー部材（19）を入れ換えることが可能である。
【００２９】
−実施形態の効果−
この実施形態では、従来のように周縁が前方に立ち上がったトレイ状の部材を壁面に固定するのではなく、平坦な形状の部品取付板（15）を壁面に固定してその前面側を蓋部材（16）で覆うようにすることで、蓋部材（16）を取り外した状態において作業者の作業を阻害する部材が部品取付面（15c）から作業者側に突出していない状態で部品取付面（15c）が露出するようにしている。すなわち、作業を阻害する部材が部品取付面（15c）から作業者側に突出していないので、部品取付面（15c）の何れの場所に取り付けられた電装部品に対しても容易に作業を行うことができる。従って、電装部品のメンテナンス等の作業をする際の作業性を向上させることができる。
【００３０】
また、上記実施形態では、蓋部材（16）が配線が通っている下面カバー部材（19）とは別に配線が通っていない対面カバー部材（17）を備えることで、配線が通っている下面カバー部材（19）を取り外す前に対面カバー部材（17）を取り外して電装部品から配線を取り外して配線口（30）から引き抜くことを可能にして、下面カバー部材（19）が取り外しやすくなるようにしている。また、メンテナンス等の作業をする電装部品の位置によっては、上面カバー部材（18）や下面カバー部材（19）が作業者の作業を阻害しない場合もあり、この場合は配線が通っていない対面カバー部材（17）を取り外すだけで作業が可能になる。従って、蓋部材（16）を取り外す際の作業性を向上させることができる。
【００３１】
また、上記実施形態では、上述したように、上面カバー部材（18）と下面カバー部材（19）を入れ換えることが可能に構成されている。従って、電装品箱（10）全体を取り外すことなく上面カバー部材（18）と下面カバー部材（19）とを入れ換えるだけで、配線を導入する部分を下側から上側（若しくは、上側から下側）へ変更する配線変更が可能になる。
【００３２】
−実施形態の変形例１−
実施形態の変形例１について説明する。上記実施形態では、蓋部材（16）が対面カバー部材（17）と上面カバー部材（18）と下面カバー部材（19）の３つの部材で構成されていたが、この変形例１では蓋部材（16）が対面カバー部材（17）と下面カバー部材（19）の２つの部材で構成されている。
【００３３】
具体的に、対面カバー部材（17）は、部品取付板（15）に対面する対面部（17a）と、左右の側面をそれぞれ構成する一対の側面部（17b）と、上面を構成する上面部（端面部）と、下面カバー部材（19）と重なり合う重なり片（17c）とが一体に形成されている。つまり、この変形例１では、上記実施形態において蓋部材（16）が上面カバー部材（18）を備える代わりに、その上面カバー部材（18）の上面板状部材（18a）に相当する部材が、対面カバー部材（17）と一体に形成されている。対面カバー部材（17）は、部品取付板（15）の上側の立ち上がり部（15b）に取り付けられる。下面カバー部材（19）は、端面カバー部材を構成している。下面カバー部材（19）は、上記実施形態と同じ形状であるため説明は省略する。
【００３４】
上記構成において、作業者が電装部品のメンテナンス等の作業をする場合は、まず蓋部材（16）のうち対面カバー部材（17）が取り外される。この状態では、部品取付面（15c）から下面カバー部材（19）が作業者側に突出している。下面カバー部材（19）が作業者の作業を阻害しない場合は、この状態で作業が行われる。作業者の作業を阻害する場合は、さらに下面カバー部材（19）が取り外される。なお、下面カバー部材（19）を取り外す際は、配線口（30）を通っている配線が邪魔にならないように、電装部品から配線を取り外して配線口（30）から一時的に引き抜いておく。
【００３５】
また、この電装品箱（10）は、配線を上面側から収納空間に導入するように変更する場合に、下面カバー部材（19）を部品取付板（15）の上側の立ち上がり部（15b）に取り付け、対面カバー部材（17）を上下を逆にして部品取付板（15）の下側の立ち上がり部（15b）に取り付けることが可能に構成されている。この変形例１では、上記実施形態よりも部品点数が少ない構成で、蓋部材（16）を取り外す際の作業性を向上させることができる。
【００３６】
−実施形態の変形例２−
実施形態の変形例２について説明する。この変形例２では、蓋部材（16）が、対面カバー部材（17）のみで構成されている。この変形例２の電装品箱（10）の対面カバー部材（17）の斜視図を図５に示す。
【００３７】
具体的に、対面カバー部材（17）は、部品取付板（15）に対面する対面部（17a）と、左右の側面をそれぞれ構成する一対の側面部（17b）と、上面を構成する上面部（17c）と、下面を構成する下面部（17d）とが一体に形成されている。つまり、この変形例２では、上記実施形態の上面カバー部材（18）の上面板状部材（18a）及び下面カバー部材（19）の下面板状部材（19a）に相当する部材が、対面カバー部材（17）と一体に形成されている。
【００３８】
また、対面カバー部材（17）の下面部（17d）には配線口（30）が３箇所形成されている。この配線口（30）は、下面部（17d）を部品取付板（15）側の端部から切り欠いた半円状に形成されている。これにより、対面カバー部材（17）を取り外す際に、配線が対面カバー部材（17）からそのまま外れて邪魔にならない。
【００３９】
この電装品箱（10）は、配線を上面側から収納空間に導入するように変更する場合に、対面カバー部材（17）を上下を逆にして機器取付板（15）に取り付けることが可能に構成されている。この変形例２では、上記変形例１よりも部品点数がさらに少ない構成で、蓋部材（16）を取り外す際の作業性を向上させることができる。
【００４０】
《その他の実施形態》
上記実施形態において、電装部品を部品取付面（15c）の裏側から取付ネジによって取り付けしない場合は、部品取付板（15）の立ち上がり部を部品取付面（15c）側に立ち上がるようにしてもよい。この場合、立ち上がり部は、作業者の作業を阻害しない程度の高さにする。そして、立ち上がり部には、蓋部材（16）を取り付けるための取付ネジ穴を形成する。
【００４１】
なお、以上の実施形態は、本質的に好ましい例示であって、本発明、その適用物、あるいはその用途の範囲を制限することを意図するものではない。
【産業上の利用可能性】
【００４２】
以上説明したように、本発明は、電装部品を収容するための電装品箱について有用である。
【図面の簡単な説明】
【００４３】
【図１】実施形態に係る電装品箱が設置される冷蔵倉庫の断面図である。
【図２】実施形態に係る電装品箱の分解斜視図である。
【図３】実施形態に係る電装品箱の機器取付板を機器取付面の裏側から見た場合の斜視図である。
【図４】実施形態に係る電装品箱の縦断面図である。
【図５】実施形態の変形例２に係る電装品箱の対面カバー部材の斜視図である。
【符号の説明】
【００４４】
15  部品取付板
15c 部品取付面
16  蓋部材
17  対面カバー部材
17a 対面部
17b 側面部
17c 上面部
17d 下面部
18  上面カバー部材
19  下面カバー部材、端面カバー部材
30  配線口
【図１】
2007149918.tif 000003
【図２】
2007149918.tif 000004
【図３】
2007149918.tif 000005
【図４】
2007149918.tif 000006
【図５】
2007149918.tif 000007